(57)【要約】      （修正有）【課題】構造が簡単で、重量も軽く、加工性、経済性に優れ、その上で、パイプに対して梯子を簡単かつ強力に固定でき、取り付け作業も容易な作業性の優れたクランプ、特に梯子取付用のクランプを提供する。【解決手段】単管パイプＢを挿入するクランプ本体１と、クランプ本体の一端部に一体に連設され、単管パイプと直交する梯子の支柱５に当接する引っ掛け片２と、クランプ本体の他端部に設けた楔ガイド３と、楔ガイドに抜き差し自在に挿入する楔４とからなる。【選択図】図４
0003203167.tif 000002
【実用新案登録請求の範囲】
【請求項１】
クランプ本体（１）と、上記クランプ本体（１）の一端部に一体に連設された引っ掛け片（２）、（２）と、上記クランプ本体（１）の他端部に設けた楔ガイド（３）と、上記楔ガイド（３）に抜き差し自在に挿入する楔（４）とからなることを特徴とするクランプ。
【請求項２】
単管パイプ（Ｂ）の外周に挿入するＵ字状又はコ字状のクランプ本体（１）と、上記クランプ本体（１）の一端部に一体に連設されて上記単管パイプ（Ｂ）と直交する梯子（Ａ）の支柱（５）に当接させるＬ字状又はＣ字状の引っ掛け片（２）、（２）と、上記クランプ本体（１）の他端部に設けた楔ガイド（３）と、上記楔ガイド（３）に抜き差し自在に挿入する楔（４）とからなり、上記楔ガイド（３）に楔（４）を圧入して当該楔（４）と上記引っ掛け片（２）、（２）とで上記単管パイプ（Ａ）と上記梯子（Ａ）の支柱（５）とを挟持することを特徴とする梯子取付用のクランプ。
【請求項３】
上記Ｕ字状のクランプ本体（１）が対向する一対の板（１Ａ）（１Ｂ）と、各板（１Ａ）（１Ｂ）の端部を一体に連結した湾曲部（１Ｃ）とからなり、上記Ｌ字状の引っ掛け片（２）（２）が上記各板（１Ａ）（１Ｂ）の一端部から折り曲げた板からなる請求項２に記載の梯子取付用のクランプ。
【請求項４】
上記楔ガイド（３）はコ字状、Ｕ字状又はＣ字状に折り曲げて一方の板（１Ａ）と上記湾曲部（１Ｃ）との間に斜めにして起立させたロッド体からなり、上記楔（４）はテーパ面（４ａ）を備えた本体と、上記本体に一体に連設した傾斜片からなるガイド部（４ｂ）とで構成されている請求項３または４に記載の梯子取付用のクランプ。
【考案の詳細な説明】
【技術分野】
【０００１】
本考案は、二つの部材を連結するクランプに関し、特に単管足場の水平な単管パイプ又は手摺用パイプに梯子を保持させるのに適する梯子取付用クランプに関する。
【背景技術】
【０００２】
一般に単管パイプを縦横に組み付けた単管足場に作業者が昇り降りする場合には、水平方向に組み付けた単管パイプや手摺パイプに梯子を立て掛け、この梯子を利用して昇降している場合が多い。
【０００３】
この場合、梯子を固定しておかないと、作業者が昇り降りしている最中に梯子が外れて倒れると作業者が落下し危険である。
【０００４】
また、作業者が昇降していない場合であっても、諸作業の効率アップのため、常に梯子を立て掛けて固定しておき、何時でも梯子を昇り降りできるようしておくことが好ましい。
【０００５】
この為、従来は、単管足場の単管に梯子の支柱をワイヤ、針金、又はロープを巻き付けて固定している。
【０００６】
しかしながら、この方法であると例えばワイヤの結線作業が面倒で操作性が劣り、しかも、強力に締め付けるのが難しく外力で緩んでしまう恐れもある。
【０００７】
この為、例えば、特許文献１に示すような、梯子係止具が開発されている。
【先行技術文献】
【特許文献】
【０００８】
【特許文献１】特開平９−３１７１６７号公報（図１、請求項１参照）
【考案の概要】
【考案が解決しようとする課題】
【０００９】
上記特許文献１に示す梯子係止具は、フック付きアームと旋回ヘッドとを備えた梯子を抱き込むフレームと、このフレームに取付けたパイプを抱き込むクランプとからなるものである。
【００１０】
この梯子係止具は梯子とパイプをそれぞれ強力に抱き込み外れる心配はない反面、構造が複雑で加工性、経済性に劣り、また梯子とパイプに対する取付、取外作業が面倒で作業性にも劣りその改善が望まれている。
【００１１】
そこで、本考案の目的は、構造が簡単で、重量も軽く、加工性、経済性に優れ、その上で、パイプに対して梯子を簡単かつ強力に固定でき、取り付け作業も容易な作業性の優れたクランプ、特に梯子取付用のクランプを提供することである。
【課題を解決するための手段】
【００１２】
上記の目的を達成するため、本考案の一つの手段は、クランプ本体と、上記クランプ本体の一端部に一体に連設された引っ掛け片と、上記クランプ本体の他端部に設けた楔ガイドと、上記楔ガイドに抜き差し自在に挿入する楔とからなることを特徴とするものである。
【００１３】
同じく、他の手段は、単管パイプの外周に挿入するＵ字状又はコ字状のクランプ本体と、上記クランプ本体の一端部に一体に連設されて上記単管パイプと直交する梯子の支柱に当接させるＬ字状又はＣ字状の引っ掛け片と、上記クランプ本体の他端部に設けた楔ガイドと、上記楔ガイドに抜き差し自在に挿入する楔とからなり、上記楔ガイドに楔を圧入して当該楔と上記引っ掛け片とで上記単管パイプと上記梯子とを挟持することを特徴とするものである。
【考案の効果】
【００１４】
各請求項の考案によれば、次の特有の効果を達成できる。
第一に、構成部材がパイプ本体と、引っ掛け片と、楔ガイドと、楔のみからなるから構造が簡単で、加工性、経済性に優れ、重量も軽く、パイプと梯子に対する着脱操作を容易にすることが出来る。
第二に、使用時には、水平方向の単管パイプや手摺パイプにクランプ本体を差し込む行程と、上記パイプに直行して立て掛けた梯子の支柱に引掛け片を対向させる行程と、この状態で楔を楔ガイド内に打ち込んで圧入する行程のみで梯子の支柱とパイプとが挟持されるので作業の行程が従来の取付け行程に比べて短縮化とスピードアップが図れ、取付の作業性の向上を図れる。
【００１５】
第三に、楔を打ち込むことで、楔とパイプ、パイプと梯子の支柱、支柱と引っ掛け片とが互いに強力に圧接されて弛むことがなく、従って梯が緩んで転倒する危険を防止でき、安全性の向上を図れる。
【図面の簡単な説明】
【００１６】
【図１】本考案の実施の形態に係るクランプを利用して梯子を固定した状態を示す単管足場の斜視図である。
【図２】本考案の実施の一例に係るクランプで梯子の支柱を単管パイプに結合した状態の拡大斜視図である。
【図３】本考案の実施の一例に係るクランプで梯子の支柱を単管パイプに結合した状態の拡大平面図である。
【図４】本考案の実施の一例に係るクランプで梯子の支柱を単管パイプに結合した状態の拡大正面図である。
【考案を実施するための形態】
【００１７】
以下本考案の実施の形態を図に基づいて説明する。
【００１８】
図１は本考案の一実施の一例に係わるクランプＸを利用して単管足場Ｐに昇降用の梯子Ａを立て掛けて固定した状態を示す。
【００１９】
単管足場Ｐは土台６上にベース９を介して起立する複数の縦方向の単管パイプＥと、この単管パイプＥにクランプＣを介して結合した水平方向の単管パイプＢ及横架材Ｄと、左右の横架材Ｄ、Ｄ間に架設した足場板８とで構成されている。
【００２０】
単管足場Ｐは建築現場、土木現場、建物の解体現場等に配置され、足場板８上で建築作業、土木作業、解体作業等の諸作業を行う。
【００２１】
足場板８上に対しては単管足場Ｐの単管パイプＢに沿わせて立て掛けた梯子Ａを介して作業者が昇り降りするようになっている。
【００２２】
この場合、梯子Ａの転倒、滑り等を防止するため、本考案のクランプＸが利用される。
【００２３】
すなわち、水平方向の単管パイプＢに対して梯子Ａの縦方向の支柱５をクランプＸを介して固定するようになっている
梯子Ａは公知のように、平行な一対の左右支柱５、５と、支柱５，５間に架設した複数のステップ１０とからなっている。
【００２４】
この梯子Ａを水平方向の単管パイプＢに連結するクランプＸは図３、図４に示すように、クランプ本体１と、クランプ本体１の左側一端部に一体に連設された引っ掛け片２，２、と、クランプ本体１の右側他端部に設けた楔ガイド３と、楔ガイド３に抜き差し自在に挿入する楔４とで構成されている。
【００２５】
より詳しく説明すると、クランプＸは水平方向の上段単管パイプＢの外周に挿入するＵ字状クランプ本体１と、クランプ本体１の左側に一体に連設されて単管パイプＢと直交する梯子Ａの支柱５に圧接させるＬ字状の引っ掛け片２，２と、クランプ本体１の右側に設けた楔ガイド３と、楔ガイド３に抜き差し自在に挿入する楔４とから構成されている。
【００２６】
そして、このクランプＸは楔ガイド３に楔４を圧入して当該楔４と引っ掛け片２、２とで単管パイプＢと梯子Ａの支柱５とを挟持し、梯子Ａの上部を単管パイプＢに固定し、梯子Ａの転倒、弛みを防止、作業者の昇降時の安全を図っている。
【００２７】
クランプ本体１は図示のようにＵ字状でも良く、コ字状であっても良く、引っ掛け片２はＬ字状でも良く、Ｃ字状でも良い。
【００２８】
楔ガイド３がコ字状、Ｕ字状又はＣ字状に成形しても良い。
【００２９】
さらに、図示のＵ字状クランプ本体１は対向する一対の板１Ａ、１Ｂと、各板１Ａ、１Ｂの右端部を一体に連結した湾曲部１Ｃとからなり、Ｌ字状の引っ掛け片２が各板１Ａ、１Ｂの左端部から折り曲げた板で構成されている。
【００３０】
また、図示の楔ガイド３はコ字状に折り曲げて一方の板１Ａと湾曲部１Ｃとの間に斜めにして起立させたロッド体から構成されている。
【００３１】
楔（４）はテーパ面４ａを備えた本体と、上記本体に一体に連設した傾斜片からなるガイド部４ｂとで構成されている。
【００３２】
梯子Ａを固定させる場合、梯子Ａの支柱５を上段の単管パイプＢの外面に宛がって立て掛けておく。
【００３３】
次いで、クランプＸを単管パイプＢに挿入し、引っ掛け片２を梯子Ａの桁５の外周に対向させる。
【００３４】
この場合、クランプ本体１は板１Ａ，１Ｂで二股状になっているので、板１Ａ，１Ｂ間の隙間に単管パイプＢを差し込み、この状態で引っ掛け片２、２を梯子Ａの桁５の外面に対向させる。
【００３５】
この状態で楔ガイド３にガイド４ｂを介して楔４を挿入し、更に深く楔４を打ち込むと楔４のテーパ面４ａに沿ってクランプ本体１が図４において右方向に引き寄せられて引っ掛け片２、２が梯子Ａの支柱５の側面に圧接される。
【００３６】
すなわち、単管パイプＢと梯子Ａの支柱５とが楔４と引っ掛け片２とで強力に挟持され、梯子Ａが固定され、梯子Ａの転倒、滑り、弛みが防止される。
【００３７】
上記の梯子Ａの固定作業は土台６上、足場板８で行うが、梯子Ａのステップ１０に乗って行っても良い。
【符号の説明】
【００３８】
１  ランプ本体
１Ａ，１Ｂ  板
１Ｃ  彎曲部
２  引っ掛け片、
３  楔ガイド
４  楔
４ａテーパ面
４ｂ  ガイド部
５  支柱
Ａ  梯子
Ｂ  単管パイプ
Ｐ  単管足場
【図１】
0003203167.tif 000003
【図２】
0003203167.tif 000004
【図３】
0003203167.tif 000005
【図４】
0003203167.tif 000006
【手続補正書】
【提出日】平成28年1月20日(2016.1.20)
【手続補正１】
【補正対象書類名】実用新案登録請求の範囲
【補正対象項目名】全文
【補正方法】変更
【補正の内容】
【実用新案登録請求の範囲】
【請求項１】
クランプ本体（１）と、上記クランプ本体（１）の一端部に一体に連設された引っ掛け片（２）、（２）と、上記クランプ本体（１）の他端部に設けた楔ガイド（３）と、上記楔ガイド（３）に抜き差し自在に挿入する楔（４）とからなることを特徴とするクランプ。
【請求項２】
単管パイプ（Ｂ）の外周に挿入するＵ字状又はコ字状のクランプ本体（１）と、上記クランプ本体（１）の一端部に一体に連設されて上記単管パイプ（Ｂ）と直交する梯子（Ａ）の支柱（５）に当接させるＬ字状又はＣ字状の引っ掛け片（２）、（２）と、上記クランプ本体（１）の他端部に設けた楔ガイド（３）と、上記楔ガイド（３）に抜き差し自在に挿入する楔（４）とからなり、上記楔ガイド（３）に楔（４）を圧入して当該楔（４）と上記引っ掛け片（２）、（２）とで上記単管パイプ（Ｂ）と上記梯子（Ａ）の支柱（５）とを挟持することを特徴とする梯子取付用のクランプ。
【請求項３】
上記Ｕ字状のクランプ本体（１）が対向する一対の板（１Ａ）、（１Ｂ）と、各板（１Ａ）（１Ｂ）の端部を一体に連結した湾曲部（１Ｃ）とからなり、上記Ｌ字状の引っ掛け片（２）、（２）が上記各板（１Ａ）、（１Ｂ）の一端部から折り曲げた板からなる請求項２に記載の梯子取付用のクランプ。
【請求項４】
上記楔ガイド（３）はコ字状、Ｕ字状又はＣ字状に折り曲げて一方の板（１Ａ）と上記湾曲部（１Ｃ）との間に斜めにして起立させたロッド体からなり、上記楔（４）はテーパ面（４ａ）を備えた本体と、上記本体に一体に連設した傾斜片からなるガイド部（４ｂ）とで構成されている請求項３に記載の梯子取付用のクランプ。